(57)【要約】【課題】排気ガスと希釈ガスとの十分な混合をもたらすこと。【解決手段】排気ガスサンプリングシステム（１０）のための混合システムであって、混合通路（１２）と；排気ガスパイプ（２３）と；混合通路の内部に配置されたミキサー（２７）と；を具備してなり、ミキサーが、入口（２７ａ）と出口（２７ｂ）とを有し、ミキサーが、径方向に延在する複数のローブ（１００）を備え、複数のローブが、ミキサーの長手方向軸線まわりにおいて周縁方向に分散して配置されている。【選択図】図１
2017053859.tif 000002
【特許請求の範囲】
【請求項１】
排気ガスサンプリングシステム（１０）のための混合システムであって、
希釈ガス導入口（２４）を有していて、希釈ガスを受領し得るよう構成された混合通路（１２）と；
前記混合通路（１２）に対して排気ガスを供給する排気ガスパイプ（２３）と；
前記混合通路（１２）の内部に配置されていて、希釈ガスと排気ガスとを混合し得るよう構成されたミキサー（２７）と；
を具備してなり、
前記ミキサー（２７）が、入口（２７ａ）と、出口（２７ｂ）と、を有し、
前記ミキサーの前記入口（２７ａ）が、排気ガスを受領し得るよう構成され、
前記ミキサーの前記出口（２７ｂ）が、前記ミキサーの前記入口（２７ａ）よりも下流側に配置され、
前記ミキサー（２７）が、径方向に延在する複数のローブ（１００）を備え、
前記複数のローブ（１００）が、前記ミキサー（２７）の長手方向軸線（Ｘ）まわりにおいて周縁方向に分散して配置されている、
ことを特徴とする混合システム。
【請求項２】
請求項１記載の混合システムにおいて、
前記ローブ（１００）が、前記ミキサー（２７）の前記出口（２７ｂ）のところまで延在している、
ことを特徴とする混合システム。
【請求項３】
請求項１記載の混合システムにおいて、
前記ローブ（１００）が、前記ミキサーの前記入口（２７ａ）から前記ミキサーの前記出口（２７ｂ）までにわたって径方向外向きに延出されており、
さらに、前記ミキサー（２７）の前記入口（２７ａ）のところにおける第１外径（ＯＤ１）が、前記ミキサー（２７）の前記出口（２７ｂ）のところにおける第２外径（ＯＤ２）よりも小さいものとされている、
ことを特徴とする混合システム。
【請求項４】
請求項１記載の混合システムにおいて、
前記ミキサー（２７）が、前記ローブ（１００）どうしの間にバレー（１１２）を備え、
前記バレー（１１２）が、前記ミキサーの前記入口（２７ａ）から前記ミキサーの前記出口（２７ｂ）までにわたって、径方向内向きに後退するものとされ、
さらに、前記ミキサー（２７）の前記入口（２７ａ）のところにおける第１内径（ＩＤ１）が、前記ミキサー（２７）の前記出口（２７ｂ）のところにおける第２内径（ＩＤ２）よりも大きなものとされている、
ことを特徴とする混合システム。
【請求項５】
請求項１記載の混合システムにおいて、
さらに、前記ミキサー（２７）よりも下流側において前記混合通路（１２）内に配置された混合プレート（２８）を具備し、
前記混合プレート（２８）が、希釈ガスと排気ガスとをさらに混合し得るよう構成された混合開口（３０）を有している、
ことを特徴とする混合システム。
【請求項６】
請求項５記載の混合システムにおいて、
前記ミキサー（２７）が、前記排気ガスパイプ（２３）よりも下流側に、かつ、前記混合プレート（２８）よりも上流側に、配置されている、
ことを特徴とする混合システム。
【請求項７】
請求項５記載の混合システムにおいて、
前記ミキサー（２７）の前記入口（２７ａ）のところにおける第１内径（ＩＤ１）が、前記排気ガスパイプ（２３）の直径と同じとされ、
前記ミキサー（２７）の前記出口（２７ｂ）のところにおける第２外径（ＯＤ２）が、前記混合開口（３０）の直径と同じとされている、
ことを特徴とする混合システム。
【請求項８】
請求項１記載の混合システムにおいて、
前記ミキサー（２７）の前記入口（２７ａ）が、前記排気ガスパイプ（２３）に対して連結されている、
ことを特徴とする混合システム。
【請求項９】
請求項８記載の混合システムにおいて、
前記ミキサー（２７）の前記入口（２７ａ）が、前記排気ガスパイプ（２３）に対して同軸的に配置されている、
ことを特徴とする混合システム。
【請求項１０】
請求項１記載の混合システムにおいて、
前記ミキサー（２７）が、前記混合通路（１２）と前記排気ガスパイプ（２３）との少なくとも一方に対して固定され、これにより、前記ミキサー（２７）が前記排気ガスパイプ（２３）に対して相対回転することが防止されている、
ことを特徴とする混合システム。
【請求項１１】
請求項１記載の混合システムにおいて、
前記ミキサー（２７）が、内表面（１０６）と外表面（１０８）とを備え、
前記外表面（１０８）が、前記複数のローブ（１００）の各々のところにおいて、ピーク（１１０）を規定するとともに、前記複数のローブ（１００）の隣接しているものどうしの間のところにおいて、バレー（１１２）を規定し、
前記ピーク（１１０）の各々が、前記ミキサー（２７）の前記長手方向軸線（Ｘ）に対して膨脹角度（Ｅ）を規定し、
前記バレー（１１２）の各々が、前記ミキサー（２７）の前記長手方向軸線（Ｘ）に対して後退角度（Ｃ）を規定する、
ことを特徴とする混合システム。
【請求項１２】
請求項１１記載の混合システムにおいて、
前記膨脹角度（Ｅ）が、０°以上、かつ、５０°以下とされている、
ことを特徴とする混合システム。
【請求項１３】
請求項１１記載の混合システムにおいて、
前記後退角度（Ｃ）が、０°以上、かつ、５０°以下、とされている、
ことを特徴とする混合システム。
【請求項１４】
排気ガスサンプリングシステム（１０）において排気ガスと希釈ガスとを混合するための方法であって、
（ａ）排気ガスを、排気ガスパイプ（２３）を通して案内し、その後、ミキサー（２７）の排気ガス通路（１１８）を通して案内し、
（ｂ）希釈ガスを、前記ミキサー（２７）の外表面（１０８）に沿って案内し、ここで、前記ミキサー（２７）を、径方向に延在する複数のローブ（１００）を備えたものとし、前記ミキサー（２７）の前記排気ガス通路（１１８）を通しての排気ガスの流れと、前記ミキサー（２７）の径方向に延在する前記複数のローブ（１００）の外表面に沿っての希釈ガスの流れと、により、排気ガスと希釈ガスとの間においての剪断層の形成を容易なものとし、これにより、排気ガスと希釈ガスとの混合を促進させる、
ことを特徴とする方法。
【請求項１５】
請求項１４記載の方法において、
さらに、排気ガスと希釈ガスとを、混合プレート（２８）の混合開口（３０）を通して案内する、
ことを特徴とする方法。
【発明の詳細な説明】
【技術分野】
【０００１】
本出願は、２０１５年９月１１日付けで出願された米国特許予備出願第６２／２１７，２３８号明細書の優先権を主張するものである。この文献の記載内容は、参考のためここに組み込まれる。
【０００２】
本出願は、排気ガスサンプリングシステムに関するものであり、より詳細には、排気ガスと希釈ガスとを混合するためのシステムおよび方法に関するものである。
【背景技術】
【０００３】
この項における背景技術は、本発明が関連する技術を全体的に提示する目的のためのものである。この背景技術の項で説明する限りにおいて本発明者らによる業績、および、出願時点において従来技術としての資格を有していない見地は、本発明に対しての従来技術として認められない。
【０００４】
排気ガスサンプリングシステムは、従来より、エンジンによって生成された排出ガス内における汚染物質の質量を決定するために、エンジンに関連して使用されてきた。そのような排気ガスサンプリングシステムは、特定のエンジンの汚染物質質量を決定するために、希釈された排気ガスを抽出して分析するための、一定容量サンプラー（constant volume sampler, ＣＶＳ）あるいはバッグ式ミニ希釈器（bag mini-diluter,ＢＭＤ）を備えることができる。ＣＶＳシステムの動作時には、例えば、エンジンからの排気ガスが、希釈ガスによって希釈され、希釈済み排気ガスサンプルが、テスト期間時にわたって、比例的に抽出され、１つまたは複数のサンプルバッグ内に格納される。サンプルバッグの内容物を分析することにより、特定のエンジンに関してテスト期間にわたっての汚染物質質量を決定することができる。
【先行技術文献】
【特許文献】
【０００５】
【特許文献１】本明細書には、先行技術文献は記載されていない。
【発明の概要】
【発明が解決しようとする課題】
【０００６】
ＣＶＳシステムにおいては、排気ガスと希釈ガスとが十分に混合されなかった場合には、サンプルバッグ内に収集されたサンプルは、排気ガスと希釈ガスとの予想された比率を有していない。その場合、分析器によって決定された汚染物質質量は、エンジンによって生成された排気ガス中の実際の汚染物質質量を表すことができない。言い換えれば、排気ガスと希釈ガスとの不十分な混合は、汚染物質質量に関しての不正確な分析をもたらしてしまう。
【課題を解決するための手段】
【０００７】
この項においては、本発明のすべての特徴点を開示するわけではなく、本発明の一般的な概要について説明する。
【０００８】
排気ガスサンプリングシステムのための混合システムが開示されている。一例においては、混合システムは、混合通路と、排気ガスパイプと、ミキサーと、を具備している。混合通路は、希釈ガスを受領し得るよう構成された希釈ガス導入口を有している。排気ガスパイプは、混合通路に対して排気ガスを供給する。ミキサーは、混合通路の内部に配置されていて、希釈ガスと排気ガスとを混合し得るよう構成されている。ミキサーは、入口と、出口と、を有し、ミキサーの入口は、排気ガスを受領し得るよう構成され、ミキサーの出口は、ミキサーの入口よりも下流側に配置されている。ミキサーは、径方向に延在する複数のローブを備え、複数のローブは、ミキサーの長手方向軸線まわりにおいて周縁方向に分散して配置されている。
【０００９】
他の例においては、混合システムは、排気ガスサンプリングシステムの混合通路内において排気ガスと希釈ガスとを混合し得るよう構成されたミキサーを具備している。ミキサーは、入口と、出口と、を有している。ミキサーは、径方向に延在する複数のローブを備え、複数のローブは、ミキサーの長手方向軸線まわりにおいて周縁方向に分散して配置されている。ローブは、ミキサーの出口のところまで延在している。ローブは、ミキサーの入口からミキサーの出口までにわたって径方向外向きに延出されており、さらに、ミキサーの入口のところにおける第１外径は、ミキサーの出口のところにおける第２外径よりも小さいものとされている。ミキサーは、ローブどうしの間にバレーを備え、バレーは、ミキサーの入口からミキサーの出口までにわたって、径方向内向きに後退するものとされ、さらに、ミキサーの入口のところにおける第１内径は、ミキサーの出口のところにおける第２内径よりも大きなものとされている。
【００１０】
さらに、排気ガスサンプリングシステムにおいて排気ガスと希釈ガスとを混合するための方法が開示されている。この方法においては、排気ガスを、排気ガスパイプを通して案内し、その後、ミキサーの排気ガス通路を通して案内し、希釈ガスを、ミキサーの外表面に沿って案内する。ここで、ミキサーは、径方向に延在する複数のローブを備えたものとされる。ミキサーの排気ガス通路を通しての排気ガスの流れと、ミキサーの径方向に延在する複数のローブの外表面に沿っての希釈ガスの流れと、により、排気ガスと希釈ガスとの間においての剪断層の形成が容易なものとされ、これにより、排気ガスと希釈ガスとの混合が促進される。
【００１１】
本発明のさらなる応用分野は、本開示により明らかとなるであろう。この項内における説明および特定の実施形態は、例示のためのものに過ぎず、本発明の範囲を制限することを意図したものではない。
【００１２】
添付図面は、選択されたいくつかの実施形態を例示するためのものに過ぎず、すべての可能な態様を図示しているわけではない。また、添付図面は、本発明の範囲を制限することを意図したものではない。本発明は、添付図面を参照しつつ、以下の詳細な説明を読むことにより、明瞭となるであろう。
【図面の簡単な説明】
【００１３】
【図１】本発明の原理によるＣＶＳサンプリングシステムを概略的に示す図である。
【図２】本発明の原理によるミキサーを示す斜視図である。
【図３】図２のミキサーを示す側面図である。
【図４】図２のミキサーを示す正面図である。
【図５】図２のミキサーを示す背面図である。
【図６】図２のミキサーと、このミキサーの排気ガス通路内に挿入するためのプラグと、を示す斜視図である。
【図７】図２のミキサーを示す側断面図であって、図６におけるプラグが、ミキサーの排気ガス通路内へと挿入されている。
【図８】本発明の原理による他のミキサーを示す側面図である。
【図９】図８のミキサーを示す正面図である。
【図１０】図８のミキサーを示す背面図である。
【発明を実施するための形態】
【００１４】
様々な図面にわたって、対応する参照符号は、対応する構成部材を示している。以下においては、添付図面を参照しつつ、例示としてのいくつかの実施形態について詳細に説明する。
【００１５】
図１には、排気ガスサンプリングシステム１０が図示されている。排気ガスサンプリングシステム１０は、希釈トンネル１２と、排気ガス収集ユニット１４と、バックグラウンド収集ユニット１６と、コントローラ１８と、分析器２０と、を具備することができる。詳細に後述するように、排気ガス収集ユニット１４は、希釈トンネル１２から希釈済み排気ガスを収集し、分析器２０に対して希釈済み排気ガスのサンプルを提供する。分析器２０は、希釈済み排気ガスサンプルの排出濃度を決定することができる。
【００１６】
希釈トンネル１２は、エンジン２２に対して流体連通可能に連結することができ、エンジン２２からの排気ガスのストリームを受領することができる。排気ガスは、排気ガスパイプ２３を通して、希釈トンネル１２内へと導入される。希釈トンネル１２は、さらに、希釈ガス導入口２４に対して流体連通的に接続されている。希釈ガス導入口２４は、希釈トンネル１２に対して希釈ガスを供給する。希釈ガスは、雰囲気エアとすることができる。希釈ガス導入口２４は、フィルタ２６を備えることができる。フィルタ２６は、希釈ガスストリームが希釈トンネル１２内へと流入する前に、希釈ガスストリームから不純物を除去する。希釈トンネル１２は、内部で排気ガスと希釈ガスとが混合される混合通路の一例である。
【００１７】
図１に示す例においては、排気ガスは、エンジン２２から排気ガスパイプ２３を通して移送され、その後、希釈トンネル１２内に配置されたミキサー２７を通して移送される。ミキサー２７は、排気ガスパイプ２３から排気ガスを受領する。これとともに、希釈ガス導入口２４からの希釈ガスは、ミキサー２７の外周に沿って流れる。ミキサー２７は、入口２７ａと出口２７ｂとを有している。ミキサーの入口２７ａは、排気ガスパイプ２３に対して流体流通している。ミキサーの出口２７ｂは、入口２７ａよりも下流側に配置されているとともに、希釈トンネル１２に対して排気ガスを供給している。ミキサー２７の構造（図２〜図５に図示されている）により、排気ガスと希釈ガスとの間に延長された剪断層を形成することができる。これにより、排気ガスと希釈ガスとの混合を助長することができる。排気ガスは、また、粒状物質を含有することができる。その場合、ミキサー２７は、粒状物質と希釈ガスとの混合を助長することができる。ミキサー２７の入口２７ａは、排気ガスパイプ２３に対して連結することができる、および／または、排気ガスパイプ２３に対して同中心的に配置することができる。ミキサー２７は、排気ガスパイプ２３に対しておよび／または希釈トンネル１２に対して、固定することができる。これにより、ミキサー２７が排気ガスパイプ２３に対して相対回転することを、防止することができる。一例においては、ミキサー２７は、気密的な連結によって、排気ガスパイプ２３に対して連結される。これにより、排気ガスパイプ２３からの排気ガスだけを、ミキサーの入口２７ａ内へと流すことができる。
【００１８】
様々な実施態様においては、混合プレート２８を、希釈トンネル１２内に、あるいは、ミキサー２７の入口２７ａの近傍に、配置することができる。例えば、混合プレート２８は、ミキサーの出口２７ｂと同じ平面内に、あるいは、ミキサーの出口２７ｂよりも下流側の位置に、配置することができる。混合プレート２８は、貫通して形成された開口すなわち混合開口３０を有することができる。混合開口３０は、混合プレート２８の本体と協働することにより、混合プレート２８の混合開口３０を通して混合ガスが流出する際に、排気ガスと希釈ガスとの追加的な混合を引き起こすことができる。より詳細には、混合プレート２８よりも下流側の希釈済み排気ガスの一部は、混合プレート２８の本体によって一時的にシールドされるすなわちブロックされる。したがって、ゼロ立方フィート／分（ｆｔ３／ｍｉｎ） で流れ、他方、希釈済み排気ガスの一部は、混合プレート２８を通して高速度で流れる。その結果、混合プレート２８の下流側においては、ブロックされたガスと、混合プレート２８を通して流れるガスと、の間において剪断層が形成される。これにより、排気ガスと希釈ガスとの混合が、さらに行われる。システム１０は、図１においては、混合プレート２８を備えたものとして図示されているけれども、システム１０は、ミキサー２７だけを備えることができ、混合プレート２８を備えないことができる。
【００１９】
システム１０には、熱交換器３２を設けることも、あるいは、設けないことも、できる。熱交換器３２が設けられる場合には、熱交換器３２は、希釈トンネル１２の長さに沿って配置することができる。熱交換器３２を使用することにより、排気ガスと希釈ガスとの混合物を所望の温度に維持することができる。混合物の温度は、熱交換器３２の下流側に配置された温度センサ３４によってあるいは他の測定デバイスによって、決定することができる。
【００２０】
ポンプ３６を、希釈トンネル１２のうちの、希釈ガス導入口２４とは反対側の端部のところにおいて、希釈トンネル１２に対して流体連通可能に連結することができる。ポンプ３６は、希釈トンネル１２に対して流体圧力を印加することができる。これにより、フィルタ２６を通して、希釈ガス導入口２４内の希釈ガスを抽出することができる。希釈ガス導入口２４に対して印加された負圧により、希釈ガスおよび排気ガスは、希釈トンネル１２内へと流入することができる。
【００２１】
さらに図１に示すように、排気ガス収集ユニット１４は、希釈トンネル１２に対して流体連通可能に連結することができる。これにより、排気ガス収集ユニット１４は、希釈トンネル１２内を流れている希釈済み排気ガス（すなわち、希釈ガスと排気ガスとの一様な混合物）の一部を受領することができる。排気ガス収集ユニット１４は、希釈済み排気ガスが分析器２０によって分析される前に、希釈済み排気ガスの一部を受領して格納することができる。これに代えて、排気ガス収集ユニット１４は、例えば希釈済み排気ガスからの粒状物質といったような他の物質を収集することができ、収集した物質の量を測定することができる。
【００２２】
排気ガス収集ユニット１４は、希釈済み排気ガスを内部に格納するための１つまたは複数のサンプルバッグ４０を備えることができる。サンプルバッグ４０は、サンプルプローブ４２に対して流体連通可能に連結することができる。サンプルプローブ４２は、希釈トンネル１２に対して流体連通可能に連結されている。サンプルプローブ４２は、希釈トンネル１２から希釈済み排気ガスサンプルを抽出し、希釈済み排気ガスからなる抽出サンプルを、格納のためのサンプルバッグ４０へと供給することができる。
【００２３】
様々な実施態様においては、排気ガス収集ユニット１４は、サンプルバッグ４０以外の、異なるタイプのアキュムレータを備えることができる。例えば、サンプルバッグ４０に代えて、収集フィルタや、インピンジャーや、バブラー、を使用することができる。収集フィルタは、希釈済み排気ガスが収集フィルタを通して流れる際に、希釈済み排気ガス中の粒状物質を収集する。インピンジャーは、希釈済み排気ガスがインピンジャーを通して流れる際に、希釈済み排気ガス中のホルムアルデヒドを収集する。バブラーは、希釈済み排気ガスがバブラーを通して流れる際に、希釈済み排気ガスからアルコールを除去するための蒸留水を含有している。
【００２４】
サンプルプローブ４２は、制御バルブ４８に対して流体連通可能に連結することができる。制御バルブ４８は、サンプルプローブ４２からサンプルバッグ４０への希釈済み排気ガスの流れを制御する。制御バルブ４８は、例えばソレノイド駆動されるバルブとすることができ、開状態と閉状態との間において移動可能とすることができる。これに代えて、制御バルブ４８は、ステッパバルブとすることができ、全開状態から閉状態に向けて段階的に移動可能とすることができる。言い換えれば、制御バルブ４８は、可変バルブとされ、完全な開状態と完全な閉状態との間において任意の数の開状態を有している。これにより、制御バルブ４８に対して、調節可能性が提供されている。したがって、制御バルブ４８が、ステッパバルブを備えているならば、制御バルブ４８は、希釈トンネル１２からサンプルバッグ４０への希釈済み排気ガスの流れを計測することができ、希釈済み排気ガスの抽出流速を微細に制御することができ、究極的には、テスト期間中にまたはサンプリング期間中にサンプルバッグ４０によって受領される希釈済み排気ガスの量を微細に制御することができる。
【００２５】
希釈済み排気ガスは、サンプルプローブ４２によって受領することができ、ポンプ５４によって制御バルブ４８を通して抽出することができる。より詳細には、ポンプ５４は、制御バルブ４８の下流側に配置することができ、サンプルプローブ４２に対して負圧を印加することができ、これにより、希釈済み排気ガスを、サンプルプローブ４２から、制御バルブ４８を通して、抽出することができる。サンプルバッグ４０に代えて１つまたは複数の収集フィルタが使用されている実施態様においては、収集フィルタは、制御バルブ４８およびポンプ５４を含有した流通経路内に配置することができ、ポンプ５４は、収集フィルタを通して、希釈済み排気ガスを抽出することができる。
【００２６】
制御バルブ４８を通して抽出された希釈済み排気ガスは、さらに、サンプルバッグ４０によって受領される前に、流量計５６を通して流れることができる。希釈済み排気ガスは、１つまたは複数のサンプルバッグ４０によって受領される。この場合、それぞれのサンプルバッグ４０内への希釈済み排気ガスの流れは、各サンプルバッグ４０の上流側に配置された制御バルブ５８によって制御される。様々な実施態様においては、制御バルブ４８は、例えばマスフローコントローラといったような、制御バルブと流量計とを含有した流通制御デバイスによって、代替することができる。マスフローコントローラが流量計を含有していることのために、このような実施態様においては、流量計５６を省略することができる。
【００２７】
図１に示すように、コントローラ１８を、流量計５６とポンプ５４と制御バルブ４８とに対して通信可能に接続することができる。コントローラ１８は、テスト期間中にあるいはサンプリング期間中に、制御バルブ４８が開放される量を調節することができ、これにより、サンプルバッグ４０に対して供給される希釈済み排気ガスの量を制御することができる。排気ガス収集ユニット１４によって収集された希釈済み排気ガス内に含有されている排出質量を分析器２０が決定するに際しては、バックグラウンド収集ユニット１６を使用することができる。より詳細には、分析器２０は、希釈ガス導入口２４から希釈トンネル１２へと供給された希釈ガスからなるサンプルを分析することができる。これにより、分析器２０は、希釈ガス導入口２４から供給された希釈ガス内のバックグラウンド汚染物質を測定することができる。
【００２８】
バックグラウンド収集ユニット１６は、１つまたは複数のサンプルバッグ７０と、ポンプ７２と、例えば制御バルブ７４といったような流通制御デバイスと、を備えることができる。ポンプ７２は、制御バルブ７４が開状態とされているときには、制御バルブ７４を通してフィルタ２６から希釈ガスを抽出することができる。ポンプ７２によってフィルタ２６から抽出された希釈ガスは、サンプルバッグ７０へと供給する前に、流量計７６を通して案内することができる。希釈ガスは、流量計７６を通して流れることができ、収集のためにサンプルバッグ７０へと供給される。サンプルバッグ７０には、供給バルブ７８が付設されている。制御バルブ７８は、１つまたは複数のサンプルバッグ７０内への希釈ガスの流入を選択的に可能とする。
【００２９】
引き続き図１に示すように、分析器２０は、排気ガス収集ユニット１４に対して流体連通可能に連結されたものとして、および、バックグラウンド収集ユニット１６に対して流体連通可能に連結されたものとして、図示されている。したがって、分析器２０は、排気ガス収集ユニット１４から希釈済み排気ガスサンプルを受領し得るとともに、バックグラウンド収集ユニット１６から希釈ガスサンプルを受領することができる。
【００３０】
分析器２０は、ポンプ８０によってユニット１４，１６内の流体に負圧を印加することにより、排気ガス収集ユニット１４から希釈済み排気ガスサンプルを受領することができる、および／または、バックグラウンド収集ユニット１６から希釈ガスサンプルを受領することができる。ポンプ８０は、排気ガス収集ユニット１４に付設された１つまたは複数の制御バルブ８２が開状態とされたときには、排気ガス収集ユニット１４から希釈済み排気ガスサンプルを抽出することができる。同様に、ポンプ８０は、バックグラウンド収集ユニット１６に付設された１つまたは複数の制御バルブ８４が開状態とされたときには、バックグラウンド収集ユニット１６から希釈ガスサンプルを抽出することができる。希釈済み排気ガスサンプルあるいは希釈ガスサンプルは、それぞれ対応するユニット１４，１６から抽出することができ、分析器２０へと到達する前に、制御バルブ８６および流量計８８を通して流れることができる。分析器２０が、排気ガス収集ユニット１４から希釈済み排気ガスサンプルを受領した後には、および／または、バックグラウンド収集ユニット１６から希釈ガスサンプルを受領した後には、分析器２０は、希釈済み排気ガスサンプル内に含有されている汚染物質質量を、決定することができる。
【００３１】
図１には詳細に図示されていないけれども、コントローラ１８は、温度センサ３４と、ポンプ３６，５４，６４，７２，８０と、制御バルブ４８，５８，７４，８２，８４，８６と、流量計５６，７６と、に対して通信可能に接続することができる。したがって、コントローラ１８は、温度センサ３４からおよび流量計５６，７６から、動作データを受領し得るとともに、以下の情報を使用することにより、ポンプ３６，５４，７２，８０をおよび制御バルブ４８，５８，７４，８２，８４，８６を、制御することができる。加えて、テスト時には、コントローラ１８は、バルブ５７を開状態とすることができ、これにより、サンプルバッグに対して希釈済み排気ガスを供給することに代えて、希釈済み排気ガスをベントすることができる。さらに、テスト期間の開始前には、コントローラ１８は、バルブ８９を開放することができ、これにより、ポンプ９０を励起させて、サンプルバッグ４０内のすべてのエアを排気することができる。
【００３２】
図２〜図５においては、ミキサー２７の構成が、詳細に図示されている。上述したように、ミキサー２７は、入口２７ａと、出口２７ｂと、を有している。ミキサー２７は、中央の長手方向軸線Ｘに沿って入口２７ａから出口２７ｂまでにわたって延在する長さＬを有している。ミキサー２７は、径方向に延在する複数のローブ１００を有している。複数のローブ１００は、出口２７ｂへと延出されているとともに、長手方向軸線Ｘまわりにおいて周縁方向に分散して配置されている。
【００３３】
図２に示すように、ミキサー２７は、内表面１０６と、外表面１０８と、を有している。外表面１０８は、各ローブ１００のところにおいてピーク１１０を規定しているとともに、隣接しているローブ１００どうしの間においてバレー１１２を規定している。各ローブ１００は、それぞれのローブ１００の隣接するバレー１１２とピーク１１０との間にわたって高さＨを有している。ピーク１１０は、中央の長手方向軸線Ｘに対しての膨脹角度Ｅでもって延出されている。図示の単純化のために、膨脹角度Ｅは、長手方向軸線Ｘ１について図示されている。この長手方向軸線Ｘ１は、中央の長手方向軸線Ｘに対して平行に延在するものであって、中央の長手方向軸線Ｘに対して、図２におけるＺ方向にオフセットされている。バレー１１２は、中央の長手方向軸線Ｘに対して後退角度Ｃでもって延在している。図示の単純化のために、後退角度Ｃは、長手方向軸線Ｘ２について図示されている。長手方向軸線Ｘ２は、中央の長手方向軸線Ｘに対して平行に延在するものであって、中央の長手方向軸線Ｘに対して、Ｚ方向にオフセットされている。
【００３４】
図３に示すように、ミキサー２７は、入口２７ａのところにおいて第１外径ＯＤ１を有しており、出口２７ｂのところにおいて第２外径ＯＤ２を有している。第２外径ＯＤ２は、すべてのローブ１００のピーク１１０を通るものであって、第１外径ＯＤ１よりも大きい。よって、ローブ１００は、入口２７ａから出口２７ｂに向かって、径方向外向きに膨らんでいる。ローブ１００が径方向外向きに膨らんでいる程度は、図２に示すような膨脹角度Ｅによって表される。様々な実施態様においては、入口２７ａのところにおけるミキサー２７の第１外径ＯＤ１は、排気ガスパイプ２３の内径と比較して、より大きいものあるいは同じものとすることができる。出口２７ｂのところにおけるミキサー２７の第２外径ＯＤ２は、混合開口３０の内径と比較して、より小さいものあるいは同じものとすることができる。これに加えてあるいはこれに代えて、出口２７ｂのところにおけるミキサー２７の第２外径ＯＤ２は、希釈トンネル１２の内径と比較して、より小さいものあるいは同じものとすることができる。例えば、システム１０が混合プレート２８を備えていない場合には、ミキサー２７の第２外径ＯＤ２は、混合開口３０の内径ではなく希釈トンネル１２の内径に基づいて、選択することができる。これにより、ミキサー２７の第２外径ＯＤ２を、希釈トンネル１２の内径以下の大きさとすることができる。
【００３５】
図４および図５に示すように、ミキサー２７は、入口２７ａのところに第１内径ＩＤ１を有し、出口２７ｂのところに第２内径ＩＤ２を有している。第２内径ＩＤ２は、すべてのローブ１００のバレー１１２を通って延在しており、第１内径ＩＤ１よりも小さい。よって、ローブ１００どうしの間におけるバレー１１２は、入口２７ａから出口２７ｂまでにわたって径方向内向きに後退している。ローブ１００間においてバレー１１２が径方向内向きに後退している程度は、図２における後退角度Ｃによって表される。
【００３６】
様々な実施態様においては、出口２７ｂのところにおけるミキサー２７の第２内径ＩＤ２は、製造的な制約およびコスト的な制約を満たしつつ、できる限りゼロに近いものとして形成することができる。ミキサー２７の第２内径ＩＤ２を低減させることにより、より多くの排気ガスを、第２内径ＩＤ２内に配置された排気ガス通路１１８を通してではなく、ローブ１００を通して、流れさせることができる。その後、ミキサーの出口２７ｂから導出されたより多くの排気ガスが、ローブ１００によって形成された剪断層に出合うこととなる。その結果、ミキサー２７による排気ガスと希釈ガスとの混合能力は、さらに改良される。
【００３７】
図２〜図５に示す例においては、ミキサー２７において径方向に延出されたローブ１００の数は、８個とされている。８個のローブ１００が図示されているけれども、本発明の範囲内において、ミキサー２７に対して任意の数のローブ１００を設け得ることは、理解されるであろう。
【００３８】
膨脹角度Ｅは、０°よりも大きいものとすることができ、５０°よりも小さなものとすることができる。好ましい実施形態においては、膨脹角度Ｅは、１２．５°とされる。後退角度Ｃは、０°以上とすることができ、５０°以下とすることができる。好ましい実施形態においては、後退角度Ｃは、３０°とされる。
【００３９】
ミキサー２７の構成により、排気ガスと希釈ガスとの混合を容易なものとすることができる。より詳細には、希釈ガスは、ミキサー２７の外表面１０８の周囲を流れ、排気ガスは、ミキサー２７の内表面１０６によって規定された排気ガス通路１１８を通って流れる。排気ガスは、第１速度で流れることができ、希釈ガスは、第１速度よりも大きな第２速度で流れることができる。これにより、ミキサーの出口２７ｂのところにおける排気ガスと希釈ガスとの間の剪断層の形成を容易なものとすることができる。加えて、希釈ガスの流速は、排気ガスの流速が遅くなるにつれて、速くすることができる。また逆に、希釈ガスの流速は、排気ガスの流速が速くなるにつれて、遅くすることができる。これにより、排気ガスと希釈ガスとの合計流速を、ほぼ一定に維持することができる。例えば、排気ガスの流速は、アイドリング時には１０ｆｔ３／ｍｉｎ とすることができ、フルスロットル時には１２０ｆｔ３／ｍｉｎ とすることができる。他方、希釈ガスの流速は、アイドリング時には３１０ｆｔ３／ｍｉｎ とすることができ、フルスロットル時には２００ｆｔ３／ｍｉｎ とすることができる。よって、この例においては、排気ガスと希釈ガスとの合計流速は、３２０ｆｔ３／ｍｉｎ という一定値に維持される。希釈ガスに対しての排気ガスの容積比率は、排気ガスに対して希釈ガスが、約２〜約３０倍である。
【００４０】
いくつかの排気ガスサンプリングシステムは、図１に示すような混合プレート２８および混合開口３０といったような単一の混合プレートおよび単一の混合開口を有している。しかしながら、例えばミキサー２７といったようなミキサーを有していない。このような排気ガスサンプリングシステムは、大きなエンジン速度においては、排気ガスと希釈ガスとを満足のいく程度に混合させることができる。大きなエンジン速度においては、排気ガスは、混合開口３０の直径よりもわずかに小さな実効直径を有したストリームを形成する。したがって、排気ガスストリームは、混合プレート２８の本体によって一時的にブロックされてほぼ０ｆｔ３／ｍｉｎ という速度で流れるガスと、混合開口３０を高速度で流れるガスと、の間において、混合プレート２８の下流側に形成された剪断層と出合うこととなる。
【００４１】
しかしながら、アイドリング時には、排気ガスが形成するストリームの実効直径は、大きなエンジン速度の場合に排気ガスによって形成されるストリームの実効直径よりも小さなものとなり、かつ、混合開口３０の直径よりもかなり小さなものとなる傾向がある。よって、排気ガスストリームは、ブロックされたガスと流れる排気ガスとの間に形成された剪断層に出合うことがない、あるいは、少なくとも、剪断層に出合う量は少なくなる。したがって、混合開口を有した混合プレートしか備えていない排気ガスサンプリングシステムにおいては、排気ガスと希釈ガスとの混合が悪くなる傾向がある。
【００４２】
これに対し、システム１０においては、径方向に延出された複数のローブ１００が、ミキサーの出口２７ｂのところにおける排気ガスと希釈ガスとの間の剪断層の長さを増大させ、これにより、エンジン２２のすべてのスロットル条件下において、混合を促進させる。例えば、ミキサー２７によって形成される剪断層の長さは、同じ実効流通断面積を有しているもののローブを有していない円筒パイプによって形成される剪断層の長さと比較して、より大きなものである。ミキサー２７によって形成される剪断層の長さは、ローブの数を増やすことによって、さらに増大させることができる。
【００４３】
ミキサー２７に関しては、ミキサー２７上のローブの数以外にも、混合度合いを改良するために調節可能な他の構成パラメータが存在する。このようなパラメータには、膨脹角度Ｅや、後退角度Ｃや、ミキサーの出口２７ｂのところにおける排気ガス通路１１８の流通断面積や、ミキサー２７の長さＬ、がある。一例においては、膨脹角度Ｅは、約１２．５°とすることができ、後退角度Ｃは、約３０°とすることができ、第１内径ＩＤ１は、排気ガスパイプ２３の直径と同じとすることができ、第２外径ＯＤ２は、混合開口３０の直径と同じとすることができる。この例においては、ミキサー２７の長さＬは、上記のすべてのパラメータ（すなわち、膨脹角度Ｅ、後退角度Ｃ、第１内径ＩＤ１、第２外径ＯＤ２）によって、決定することができる。
【００４４】
加えて、ミキサーの出口２７ｂのところにおける排気ガス通路１１８の流通断面積は、特定の希釈比率でもってターゲットをなす剪断度合いが得られるように、構成することができる。例えば、ミキサー２７は、ローブ１００の流通断面積が、ローブ１００どうしの間のスペースの流通断面積よりも大きくなるように、構成することができる。例えば、複数のローブ１００のうちの１つのローブの流通断面積は、図５においてＡＬ によって表されており、ローブ１００どうしの間の流通断面積は、図５においてＡＳ によって表されている。ローブ１００の流通断面積が、ローブ１００どうしの間の流通断面積よりも大きい場合には、ローブ１００を通って流れる排気ガスは、ローブ１００どうしの間をミキサー２７の外表面に沿って流れる希釈ガスの速度と比較して、より小さい速度で流れる。その結果、排気ガスは、排気ガスの流速と希釈ガスの流速との間の速度差に基づき、ターゲットをなす希釈比率でもって、希釈ガスに対してより良好に混合することができる。他の例においては、希釈ガス：排気ガスが２：１という特定の希釈比率でもってターゲットをなす剪断度合いを得るために、ローブ１００の流通断面積は、ローブ１００どうしの間のスペースの流通断面積の２倍とすることができる。その場合、ローブ１００を通って流れる排気ガスの流速は、ローブ１００どうしの間をミキサー２７の外表面に沿って流れる希釈ガスの流速の２分の１となる。ローブ１００の流通断面積は、ミキサー２７が、最小の希釈比率（例えば、希釈ガス：排気ガスが、２：１）においてさえ、ターゲットをなす剪断度合いが得られるように、十分に大きなものとすることができる。
【００４５】
図１に示すように、ミキサー２７は、排気ガスパイプ２３の下流側に、かつ、混合プレート２８の上流側に、配置することができる。様々な要因が、排気ガスパイプ２３の出口とミキサー２７と混合プレート２８との間の相対配置に関して、および、ミキサー２７およびポンプ３６の構成に関して、影響を与えることができる。例えば、ミキサー２７上のローブの数を増やすと、剪断長さを増大させることができて、ミキサー２７によって印加される流れ制限を増大させることができる。ミキサー２７によって印加される流れ制限が増大するにつれて、この増大された流れ制限を補償し得るように、ポンプ３６のサイズを大きくする必要がある。よって、ポンプ３６のサイズは、ミキサー２７上のローブの数に基づいて選択することができる。あるいは逆に、ミキサー２７上のローブの数は、ポンプ３６のサイズに基づいて選択することができる。
【００４６】
ミキサー２７が排気ガスと希釈ガスとを混合する度合いを改良するに際しては、さらに他の手法が存在する。例えば、図６および図７に示すように、プラグ１３０を、ミキサー２７の排気ガス通路１１８内に配置することができる。プラグ１３０の形状は、アメリカンフットボールのような、幅が狭い（長尺形状の）回転楕円面とすることができる。これにより、プラグ１３０によって印加される流れ制限を最小化することができる。これに代えて、プラグ１３０の形状は、単一の円錐形状あるいは両面円錐形状（例えば、２つの円錐が、それぞれの大径端部どうしを突き合わせて配置された態様）といったような、円錐形状とすることができる。プラグ１３０は、第１端部１３２と、第２端部１３４と、これら第１端部１３２および第２端部１３４の中間に位置した中間ポイント１３６と、を有することができる。プラグ１３０は、ミキサーの出口２７ｂのところにあるいはミキサーの出口２７ｂの近傍に、最大外径ＯＤmax を有することができる。プラグ１３０の最大外径ＯＤmax は、ミキサー２７の第２内径ＩＤ２以下の大きさとすることができる。図１に示す例においては、プラグ１３０の最大外径ＯＤmax は、中間ポイント１３６のところに配置されており、したがって、プラグ１３０の中間ポイント１３６は、ミキサーの出口２７ｂのところに配置されている。プラグ１３０は、ミキサー２７とは個別の部材として形成することができ、ミキサー２７に対して取り付けることで、ミキサーアセンブリを形成することができる。プラグ１３０は、例えば溶接や嵌合といったような手法を使用して、ミキサー２７の内表面１０６に対して固定することができる。
【００４７】
プラグ１３０は、ミキサー２７の第２内径ＩＤ２内に位置する排気ガス通路１１８の一部を通して流れることに代えて、ローブ１００を通して流れるように、排気ガスを案内する。この場合、排気ガス通路１１８を通って流れる排気ガスのより多くの部分は、排気ガスがミキサーの出口２７ｂから出る際に、ローブ１００によって形成された剪断層に出合う。このようにして、プラグ１３０は、ミキサー２７が排気ガスと希釈ガスとを混合する度合いを、さらに改良することができる。
【００４８】
ミキサー２７に関して、ＣＶＳシステムあるいはフルフローサンプリングシステムに関連して上述したけれども、ミキサー２７は、２つの流れを混合した後にその混合流内の汚染物質濃度や汚染物質質量を測定するような任意の排気ガスサンプリングシステムにおいて、使用することができる。例えば、ミキサー２７は、部分フローサンプリングシステムや、ＢＭＤシステムや、モード式ミニ希釈（modal mini diluter, ＭＭＤ）システムや、プロパン注入キット、において使用することができる。
【００４９】
図８〜図１０においては、ミキサー１５０は、入口１５０ａと出口１５０ｂとを有するものであって、ミキサー２７と同様のものである。ミキサー１５０とミキサー２７との間のただ１つの相違点について、以下において説明する。ミキサー２７の出口２７ｂのところにおける第２内径ＩＤ２は、できる限りゼロに近いものとして構成し得るのに対し、ミキサー１５０の場合の第２内径ＩＤ２は、ゼロとされる。この目的のために、ミキサー１５０の出口１５０ｂのところにおいては、ミキサー１５０のバレー１１２は、ミキサー１５０の中心上へと互いに集合している。これにより、その集合点においては、バレー１１２どうしの間にスペースが存在していない。よって、ミキサー１５０の排気ガス通路１１８を通って流れるすべての排気ガスは、ローブ１００によって形成された剪断層に出合うこととなる。
【００５０】
さらに、排気ガスと希釈ガスとを混合するための方法が提供される。この方法においては、排気ガスを、エンジン２２から排気ガスパイプ２３を通して案内し、その後、ミキサー２７の排気ガス通路１１８を通して案内することができる。一例においては、排気ガスは、約５ｆｔ３／ｍｉｎ以上の流速で、かつ、約１２０ｆｔ３／ｍｉｎ以下の流速で、案内される。この方法においては、さらに、希釈ガスを、ミキサー２７の外表面１０８に沿って案内することができる。ミキサー２７の排気ガス通路１１８を通って流れる排気ガスの流れと、ミキサー２７の径方向に延在するローブ１００の周囲を通って流れる希釈ガスの流れと、によって、排気ガスと希釈ガスとの間において容易に剪断層を形成することができ、これにより、排気ガスと希釈ガスとの混合を促進することができる。この方法においては、さらに、排気ガスと希釈ガスとを、混合プレート２８の混合開口３０を通して案内することができる。
【００５１】
例示としてのいくつかの実施形態は、当業者に対して本発明の範囲を伝えるようにして、提供される。本発明の様々な実施形態の完全な理解を提供し得るよう、例えば特定の構成部材やデバイスや方法といったような様々な特定の詳細が提示される。当業者であれば、それらの特定の詳細が必須ではないこと、また、例示としてのいくつかの実施形態を他の様々な態様でも具現し得ること、さらに、それら実施形態が本発明の範囲を制限することを意図したものではないことを、理解されるであろう。いくつかの例示としての実施形態においては、周知のプロセスや周知のデバイス構成や周知の技術について、詳細な説明が省略されている。
【００５２】
様々な実施形態に関する上記の説明は、例示の目的のためのものに過ぎない。上記の説明は、本発明を制限することを意図したものではない。特定の実施形態に関する個々の構成部材や特徴点は、一般に、特定の実施形態に限定されるものではなく、適用可能である限りにおいては、互換的なものであって、特に例示されていなくても、他の選択された実施形態において使用することができる。実施形態は、様々に変形することができる。それら変形例は、本発明の範囲を逸脱するものではなく、それらすべての修正は、本発明の範囲内に属することが意図されている。
【００５３】
本明細書内で使用されている用語は、特定の例示としてのいくつかの実施形態を説明する目的のみで使用されており、本発明の範囲を制限するものではない。本明細書においては、「１つの」という単数形の態様は、特に断らない限り、複数形の態様をも包含することができる。「有する」や「備える」や「具備する」という用語は、包括的なものであり、したがって、記載された特徴点や数やステップや動作や構成要素や構成部材の存在を特定するものである。しかしながら、１つまたは複数の他の特徴点や数やステップや動作や構成要素や構成部材やそれらグループの存在や追加を除外するものではない。本明細書に記載された方法的ステップやプロセスや動作は、特に指定されない限り、その順序を必須とするものではない。追加的なステップや代替的なステップを使用し得ることは、理解されるであろう。
【００５４】
構成部材または層が、他の構成部材または層に対して、「上に位置している」や「係合している」や「連結されている」と称された場合には、他の構成部材または層に対して、直接的に、上に位置していたり係合していたり連結されていたりすることができる、あるいは、中間に介在する構成部材または層が存在することができる。これに対し、構成部材が他の構成部材または層に対して、「直接的に上に位置している」や「直接的に係合している」や「直接的に連結されている」と称された場合には、中間に介在する構成部材または層は、存在しない。構成部材防止の間の関係を記載するために使用される他の用語（例えば、「〜の間」と「直接的に〜の間」、「隣接して」と「直接的に隣接して」、等）は、同様に解釈されるべきである。本明細書においては、「および／または」という用語は、関連して列挙された複数の構成部材に関しての、任意の組合せおよびすべての組合せを包含している。
【００５５】
第１や第２や第３という用語は、本明細書においては、様々な構成部材や構成要素や領域や層や部分を記述するために使用されるけれども、それら構成部材や構成要素や領域や層や部分は、それら第１や第２や第３という用語によって制限されるものではない。それら第１や第２や第３という用語は、ある構成部材や構成要素や領域や層や部分を、他の構成部材や構成要素や領域や層や部分から区別するためだけに使用されている。例えば「第１」や「第２」等といったような用語は、本明細書において使用されたときには、特に指示がない限りは、順番や順序を表すものではない。よって、以下の説明においては、第１構成部材や第１構成要素や第１領域や第１層や第１部分は、例示としての実施形態から逸脱することなく、第２構成部材や第２構成要素や第２領域や第２層や第２部分と読み替えることができる。
【００５６】
例えば「内」や「外」や「直下」や「下方」や「下」や「上方」や「上」等といったような空間的位置関係を表す用語は、本明細書においては、図示されたような、ある構成部材またはある特徴点と、他の構成部材または他の特徴点と、の間の位置関係を表すために使用することができる。空間的位置関係を表す用語は、図示された配向関係以外の、使用時や動作時におけるデバイスの他の配向関係をも包含することができる。例えば、図示されたデバイスの上下がひっくり返されたときには、他の構成部材または特徴点に対して「下」または「直下」として記載された構成部材は、他の構成部材または特徴点に対して「上」の配向関係となる。よって、例示するならば、「下」という用語は、上と下との双方の配向関係を包含することができる。その他にも、デバイスは、他の配向性（９０°回転した配向性、あるいは、他の配向性）で配向することができる。本明細書においては、空間的位置関係を表す用語は、このように解釈されるべきである。
【符号の説明】
【００５７】
１０    排気ガスサンプリングシステム
１２    混合通路
２３    排気ガスパイプ
２４    希釈ガス導入口
２７    ミキサー
２７ａ  入口
２７ｂ  出口
２８    混合プレート
３０    混合開口
１００    ローブ
１０６    内表面
１０８    外表面
１１０    ピーク
１１２    バレー
１１８    排気ガス通路
Ｃ      後退角度
Ｅ      膨脹角度
ＩＤ１  第１内径
ＩＤ２  第２内径
ＯＤ１  第１外径
ＯＤ２  第２外径
Ｘ      長手方向軸線
【図１】
2017053859.tif 000003
【図２】
2017053859.tif 000004
【図３】
2017053859.tif 000005
【図４】
2017053859.tif 000006
【図５】
2017053859.tif 000007
【図６】
2017053859.tif 000008
【図７】
2017053859.tif 000009
【図８】
2017053859.tif 000010
【図９】
2017053859.tif 000011
【図１０】
2017053859.tif 000012
【外国語明細書】
2017053859000001.pdf